(57)【要約】【課題】湿度の高い空気から吸湿して湿度の低い空気に対して放湿する吸着材の回転時にロック停止しない除湿装置を提供することを目的とする。【解決手段】扇状に形成された中心部分に支持軸１７を設けた再生チャンバー１６の外縁部１８を、仕切板１１に形成された取付部２０にねじ止めして取り付け、吸着材１を挟み支持軸１７の端部を支持する軸受２３を備えた加熱手段４の外縁部を仕切板１１に取り付け、再生チャンバー１６と加熱手段４よりなる再生部２４により回転円滑手段２５を形成することにより、吸着材１はロック停止することなくスムーズに回転する除湿装置が得られる。【選択図】図１
2008086995.tif 000002
【特許請求の範囲】
【請求項１】
相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、前記吸着材がロック停止を生じないように回転円滑手段を設けた除湿装置。
【請求項２】
吸着材から放湿させ多湿空気を得る再生部を備え、回転円滑手段は、前記再生部により前記吸着材を回転自在に支持する構成とした請求項１記載の除湿装置。
【請求項３】
再生部を再生チャンバーと加熱手段により形成し、吸着材を回転可能に支持する支持軸を前記再生チャンバーに設けた請求項２記載の除湿装置。
【請求項４】
吸着材の中心部分と外周部分において、加熱手段と再生チャンバーが指示されるように前記加熱手段と再生チャンバーの外周部分を複数ねじ止めして支持する構成とした請求項３記載の除湿装置。
【請求項５】
吸着材を支持する再生部を仕切板に固定設置した請求項２〜４記載の除湿装置。
【請求項６】
吸着素子を支持するように吸着材の表面に放射状に設けた複数のリブと、支持脚により扇状に形成された再生チャンバーとを備え、前記吸着材の回転に伴い前記吸着材に設けたリブが順次再生チャンバーの支持脚に重合する構成とした請求項１記載の除湿装置。
【請求項７】
吸着材の回転円滑手段に鉛直面に対する吸着材端面の振れを矯正する矯正手段を設けた請求項１〜６記載の除湿装置。
【請求項８】
第２空気供給手段をケーシング内を羽根が回転運動することによって送風する送風機により形成し、前記第２空気手段の前記ケーシングが矯正手段を兼ねる構成とした請求項７記載の除湿装置。
【請求項９】
駆動手段を吸着材の外周に設けられる第１ギアと、この第１ギアと噛合する第２ギアと、この第２ギアに回転を与える駆動モータから形成し、矯正手段を前記第２ギアに設けた壁部により構成した請求項７記載の除湿装置。
【請求項１０】
吸着材の回転円滑手段に、吸着材に対し、仕切板、再生チャンバーおよび加熱手段が接触した場合の摩擦抵抗を低減する駆動抵抗低減手段を設けた請求項１記載の除湿装置。
【請求項１１】
駆動抵抗低減手段は、吸着素子収容部の加熱手段と対抗する面の外縁部または支持軸の近傍の少なくとも一部に、前記加熱手段の方向に凸状の突起を設けた請求項１０記載の除湿装置。
【請求項１２】
吸着素子を円筒形に形成された吸着素子収容部に内包して吸着材を形成し、駆動抵抗低減手段は、仕切板および再生チャンバーの吸着材と対抗する面の少なくとも一部に、前記吸着材の方向に凸状の突起を設けた請求項１０または１１記載の除湿装置。
【請求項１３】
駆動抵抗低減手段を、吸着素子収容部の仕切板及び再生チャンバーと対抗する面の外縁部および支持軸近傍の少なくとも一部に前記仕切板の方向に凸状の突起を設け形成した請求項１０〜１２記載の除湿装置。
【発明の詳細な説明】
【技術分野】
【０００１】
本発明は、湿度の高い空気から吸湿して湿度の低い空気に対して放湿する回転式の吸着材を設けた除湿装置に関する。
【背景技術】
【０００２】
従来、この種の除湿装置の一例として回転式の除湿材を設けた除湿機が知られている（例えば、特許文献１参照）。
【０００３】
以下、その除湿機について図７および図８を参照しながら説明する。
【０００４】
図に示すように、除湿ロータ１０１は後部側から見た仕切板１０２に張架された支持脚１０３と、前部側から見た仕切板１０２に設けた再生ボックス１０４とにより両側から挟み回動自在に設けていた。
【特許文献１】特開２０００−１５７８３１号公報（［００２４］〜［００２７］、図６、図７）
【発明の開示】
【発明が解決しようとする課題】
【０００５】
このような従来の除湿機では、除湿ロータ１０１の一方は仕切板１０２に一対的に形成された支持脚１０３により回動自在に支持されていることにより、仕切板１０２の成形時に、ひけや、反りなどにより除湿ロータ１０１の一方の支持位置がずれ、除湿ロータ１０１が偏心した状態で支持されることとなり、除湿ロータ１０１が再生用部材などに接触してロック停止しやすくなるという課題があり、除湿ロータ１０１がロック停止しないようにすることが要求されている。
【０００６】
また、除湿ロータ１０１が回転中に振れてスムーズに回転しないという課題があり、回転中に振れないように矯正することが要求されている。
【０００７】
また、除湿ロータ１０１の駆動時の抵抗が大きく回転むらが生じるという課題があり、回転むらを無くすることが要求されている。
【０００８】
本発明は、このような従来の課題を解決するものであり、除湿ロータに相当する吸着材の回転時にロック停止しないようにすることができ、また、吸着材の振れを矯正することができ、また、吸着材の回転時の抵抗を少なくすることができる除湿装置を提供することを目的としている。
【課題を解決するための手段】
【０００９】
本発明の除湿装置は、上記目的を達成するために、相対的に湿度の高い空気から吸湿して、相対的に湿度の低い空気に対して放湿する吸着材が回転中にロック停止を生じないように回転円滑手段を設けたものである。
【００１０】
この手段により、回転する吸着材がロック停止しないようにすることができる除湿装置が得られる。
【００１１】
また、他の手段は、吸着材から放湿させ多湿空気を得る再生部を備え、回転円滑手段は、前記再生部により前記吸着材を回転自在に支持する構成としたものである。
【００１２】
この手段により、仕切板自体の成形ひずみの影響を受けることなく、吸着材を円滑に回転することができる除湿装置が得られる。
【００１３】
また、他の手段は、再生部を再生チャンバーと加熱手段により形成し、吸着材を回転可能に支持する支持軸を前記再生チャンバーに設けたものである。
【００１４】
この手段により、再生チャンバーの製造が容易となる。
【００１５】
また、他の手段は、吸着材の中心部分と外周部分において、加熱手段と再生チャンバーが支持されるように、前記加熱手段と再生チャンバーの外周部分を複数ねじ止めして支持する構成としたものである。
【００１６】
この手段により、吸着材が通過する領域に、再生部のねじ逃がしの隙間が無くなり、空気漏れが防止され再生効率が高められる除湿装置が得られる。
【００１７】
また、他の手段は、吸着材を支持する再生部を仕切板に固定設置したものである。
【００１８】
この手段により、吸着材の回転中心を確定することができる。
【００１９】
また、他の手段は、吸着素子を支持するように吸着材の表面に放射状に設けた複数のリブと、支持脚により扇状に形成された再生チャンバーとを備え、前記吸着材の回転に伴い前記吸着材に設けたリブが順次再生チャンバーの支持脚に重合する構成としたものである。
【００２０】
この手段により、再生チャンバー側での回転中の空気漏れが少なくなり、再生効率を高めることができる除湿装置が得られる。
【００２１】
また、他の手段は、吸着材の回転円滑手段に鉛直面に対する吸着材端面の振れを矯正する矯正手段を設けたものである。
【００２２】
この手段により、回転する吸着材の振れを矯正することができる除湿装置が得られる。
【００２３】
また、他の手段は、第２空気供給手段を、ケーシング内を羽根が回転運動することによって送風する送風機により形成し、前記第２空気手段の前記ケーシングが矯正手段を兼ねる構成としたものである。
【００２４】
この手段により、回転する吸着材の振れを、別個に振れ防止用の部材を設けることなく、矯正することができる除湿装置が得られる。
【００２５】
また、他の手段は、駆動手段を、吸着材の外周に設けられる第１ギアと、この第１ギアと噛号する第２ギアと、この第２ギアに回転を与える駆動モータから形成し、矯正手段を前記第２ギアに設けた壁部により構成したものである。
【００２６】
この手段により、回転する吸着材の振れを矯正することができる除湿装置が得られる。
【００２７】
また、他の手段は、吸着材の回転円滑手段に、吸着材に対し仕切板、再生チャンバーおよび加熱手段が接触した場合の摩擦抵抗を低減する駆動抵抗低減手段を設けたものである。
【００２８】
この手段により、吸着材の回転むらが防止でき、吸着材の吸着・再生機能を安定した状態に維持することができる除湿装置が得られる。
【００２９】
また、他の手段は、駆動抵抗低減手段を、吸着材収納部の加熱手段と対向する面の外縁部または支持軸の近傍の少なくとも一部に、前記加熱手段の方向に凸状の突起を設けたものである。
【００３０】
この手段により、吸着材と加熱手段との接触抵抗を低減して、吸着材の回転むらを防止できる除湿装置が得られる。
【００３１】
また、他の手段は、吸着素子を円筒形に形成された吸着素子収容部に内包して吸着材を形成し、駆動抵抗低減手段は、仕切板および再生チャンバーの吸着材と対向する面の少なくとも一部に、前記吸着材の方向に凸状の突起を設けたものである。
【００３２】
この手段により、吸着材と再生チャンバーおよび仕切板との接触抵抗を低減して、吸着材の回転むらを防止できる除湿装置が得られる。
【００３３】
また、他の手段は、駆動抵抗低減手段を、吸着素子収容部の仕切板および再生チャンバーと対向する面の外縁部および支持軸近傍に少なくとも一部に前記仕切板の方向に凸状の突起を設け形成したものである。
【００３４】
この手段により、吸着材と再生チャンバーの接触抵抗を低減して、吸着材の回転むらを防止できる除湿装置が得られる。
【発明の効果】
【００３５】
本発明によれば、吸着材がロック停止することなく、円滑に回転できるという効果のある除湿装置を提供できる。
【００３６】
また、空気漏れが防止され再生効率を高めることができる。
【００３７】
また、吸着材の回転中心を容易に確定することができる。
【００３８】
また、回転する吸着材の振れを矯正することができるという効果のある除湿装置を提供できる。
【００３９】
また、吸着材の回転むらを無くし、吸着・再生機能を安定した状態に維持できるという効果のある除湿装置を提供できる。
【発明を実施するための最良の形態】
【００４０】
本発明の請求項１記載の発明は、相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、前記吸着材がロック停止を生じないように回転円滑手段を設けたことにより、吸着材の回転中心を正確な位置に保つことができ、吸着材の端面が再生部材と接触してロック停止するのを防止することができるという作用を有する。
【００４１】
また、請求項２記載の発明は、吸着材から放湿させ多湿空気を得る再生部を備え、回転円滑手段は前記再生部により前記吸着材を回転自在に支持することにより、吸着材の表と裏に位置する再生部を用いて吸着材が支持されることとなり、仕切板自体の成形ひずみの影響を受けることなく、寸法制度を保ちつつ支持することができ、吸着材を円滑に回転させることができるという作用を有する。
【００４２】
また、請求項３記載の発明は、再生部を再生チャンバーと加熱手段により形成し、吸着材を回転可能に支持する支持軸を前記再生チャンバーに設けたことにより、再生チャンバーに支持軸を一体成形により形成できるので、製造が容易になるという作用を有する。
【００４３】
また、請求項４記載の発明は、吸着材の中心部分と外周部分において、加熱手段と再生チャンバーが支持されるように、前記加熱手段と再生チャンバーの外周部分を複数ねじ止めして支持する構成としたものであり、吸着材の加熱空気の通過する領域に、再生部のねじ逃がしの隙間が無くなり、空気漏れが無くなって再生効率を高めることができるという作用を有する。
【００４４】
また、請求項５記載の発明は、吸着材を支持する再生部を仕切板に固定設置したことにより、仕切板に対して再生部の取り付け寸法精度が保たれ、吸着材の回転中心を容易に確定することができるという作用を有する。
【００４５】
また、請求項６記載の発明は、吸着素子を支持するように吸着材の表面に放射状に設けた複数のリブと、支持脚により扇状に形成された再生チャンバーとを備え、前記吸着材の回転に伴い前記吸着材に設けたリブが順次再生チャンバーの支持脚に重合する構成としたことにより、再生チャンバー側での回転中の空気漏れが少なくなり、再生効率を高めることができるという作用を有する。
【００４６】
また、請求項７記載の発明は、吸着材の回転円滑手段に鉛直面に対する吸着材端面の振れを矯正する矯正手段を設けたことにより、吸着材が回転円滑手段と当接して回転する吸着材の振れが矯正されるという作用を有する。
【００４７】
また、請求項８記載の発明は、第２空気供給手段をケーシング内を羽根が回転運動することによって送風する送風機により形成し、前記第２空気手段の前記ケーシングが矯正手段を兼ねる構成としたことにより、吸着材がケーシング側に振れて回転する場合に、ケーシングに当接して振れが矯正されるという作用を有する。
【００４８】
また、請求項９記載の発明は、駆動手段を吸着材の外周に設けられる第１ギアと、この第１ギアと噛合する第２ギアと、この第２ギアに回転を与える駆動モータから形成し、矯正手段を前記第２ギアに設けた壁部により構成したことにより、第２ギアの壁部に吸着材が当接して吸着材の振れが矯正されるという作用を有する。
【００４９】
また、請求項１０記載の発明は、吸着材の回転円滑手段に、吸着材に対し仕切板、再生チャンバーおよび加熱手段が接触した場合の摩擦抵抗を低減する駆動抵抗低減手段を設けたことにより、吸着材が仕切板、再生チャンバーおよび加熱手段に接触しても回転むらが生じることが無く、吸着材の吸着・再生機能を維持することができる。
【００５０】
また、請求項１１記載の発明は、駆動抵抗低減手段は、吸着材収容部の加熱手段と対向する面の外縁部または支持軸の近傍の少なくとも一部に、前記加熱手段の方向に凸状の突起を設けたことにより、吸着材が加熱手段と接触しても接触抵抗を低減して回転むら生じることがなくなるという作用を有する。
【００５１】
また、請求項１２記載の発明は、吸着素子を円筒形に形成された吸着素子収容部に内包して吸着材を形成し、駆動抵抗低減手段は、仕切板および再生チャンバーの吸着材と対向する面の少なくとも一部に、前記吸着材の方向に凸状の突起を設けたことにより、仕切板および再生チャンバーの凸状の突起により吸着材との接触抵抗を低減して吸着材の回転むらが生じることがないという作用を有する。
【００５２】
また、請求項１３記載の発明は、駆動抵抗低減手段を、吸着素子収容部の仕切板および再生チャンバーと対向する面の外縁部および支持軸近傍の少なくとも一部に前記仕切板の方向に凸状の突起を設け形成したことにより、再生チャンバーとの接触抵抗を低減して吸着材の回転むらが生じることがないという作用を有する。
【００５３】
以下、本発明の実施の形態について図面を参照しながら説明する。
【００５４】
（実施の形態１）
図１〜図６に示すように、回転する吸着材１は相対的に湿度の高い空気から吸湿する吸湿領域３と、相対的に湿度の低い空気に対して放湿を行なう再生領域６からなる。すなわち吸湿領域３では第１空気２から水分を吸湿し、再生領域６では吸着材１が加熱手段４により加熱された第２空気５に対して放湿して吸着可能に再生を行なうものである。
【００５５】
駆動手段７は第１空気２からの吸湿と、第２空気５への放湿が繰り返しなされるように吸着材１を回転させる。
【００５６】
凝縮器８は再生領域６に供給された後の第２空気５を第１空気２で冷却して吸着材１からの放湿分を結露水として回収を行ない、第１空気供給手段９は吸湿領域３および凝縮器８に第１空気２を供給し、第２空気供給手段１０は加熱手段４、再生領域６、凝縮器８の順に第２空気５を循環させ、仕切板１１は第２供給手段１０と、吸着材１の吸湿領域３に流入する第１空気２と、吸着材１の吸湿領域３通過後の第１空気２が混合しないように仕切るものである。
【００５７】
また、吸着材１は片面に放射状の複数のリブ１２を設け、吸着素子１ａを内包する円筒形の吸着素子収容部１ｂ内に収容される形状で、外周部には第１ギア１３を設け、中心部には回動中心となる支持孔１４を有している。
【００５８】
また、支持却１５により扇状に形成された再生チャンバー１６の中心部側には、吸着材１に設けた支持孔１４に嵌押し吸着材１を回動自在に支持する支持軸１７を設け、支持脚１５は外縁部１８において仕切板１１の開孔する収納部１９に近接して設けた取付部２０にねじ止め固定され、支持軸１７の端部は加熱手段４の中心部側に設けた軸受２３により支持されている。なおケーシング２１の内部に設けた羽根を駆動するモータ２２により形成された第２空気供給手段１０と、内部にヒータを設けた扇状の加熱手段４とは一体的に形成している。
【００５９】
加熱手段４の外縁部１８Ａを仕切板１１に取り付け、吸着材１を再生チャンバー１６と加熱手段４により回動自在に支持する再生部２４を形成し、仕切板１１に取り付けられた再生部２４により回転円滑手段２５を形成している。
【００６０】
また、吸着材１に設けた第１ギア１３に噛合する第２ギア２６を軸支する駆動モータ２７を仕切板１１に取り付け駆動手段７を形成している。
【００６１】
第２ギア２６に壁部２８を設け、吸着材１が鉛直面に対し振れると第１ギア１３が第２ギア２６の壁部２８に当接して振れが矯正される。矯正手段２９を形成する。
【００６２】
また、吸着材１の鉛直面に対する振れを矯正するために、第２空気供給手段１０のケーシング２１を吸着材１が振れると当接するように設け、ケーシング２１を矯正手段２９Ａを兼ねるように設ける。
【００６３】
また、吸着材１を支持する回転円滑手段２５に吸着材１に対し、仕切板１１、再生チャンバー１６および加熱手段４が接触した場合の摩擦抵抗を低減する駆動抵抗低減手段３０を設ける。そして、駆動抵抗低減手段３０は、吸着素子収容部１ｂの加熱手段４と対向する面の外縁部に凸状の突起３１を環状に設けるとともに、支持孔１４の外方近傍にも凸状の突起３１Ａを環状に設け形成する。
【００６４】
また、吸着素子収容部１ｂの裏面側の外縁部に凸状の突起３１Ｂと支持孔１４の外方近傍に凸状の突起３１Ｃを環状に設け駆動抵抗低減手段３０Ａを形成する。
【００６５】
また、再生チャンバー１６の支持軸１７の外方近傍に凸状の突起３１Ｄを設け、駆動抵抗低減手段３０Ｂを形成して構成する。
【００６６】
上記構成において、吸着材１は、外縁部１８を仕切板１１に取り付けた再生チャンバー１６の要部となる中心部側に設けた支持軸１７の端部を、外縁部１８Ａを仕切板１１に取り付けた加熱手段４の中心部側に設けた軸受２３により回動自在に支持した再生部２４により形成された回転円滑手段２５で支持されることにより、仕切板１１の成形のひけや反りなどによる位置ずれがなくなり、吸着材１の回転は円滑に行なわれることとなる。
【００６７】
また、吸着材１が回転することにより、吸着材１に設けられた放射状のリブ１２が再生チャンバー１６を形成する支持脚１５に順次重合することにより、第２空気５の漏れることが少なくなり再生効率が高められることとなる。
【００６８】
また、吸着材１が鉛直方向に振れを生じたときには、吸着材１に設けた第１ギア１３が第２ギア２６の壁部２８に当接し、矯正手段２９により振れが矯正されるとともに、第２空気供給手段１０のケーシング２１が吸着材１に当接して矯正手段２９Ａにより振れが矯正されることとなる。
【００６９】
また、吸着素子収容部１ｂの加熱手段４と対向する面の外縁部に凸状の突起３１を設けるとともに、支持孔１４の外方近傍に凸状の突起３１Ａを設けることにより、加熱手段４との接触が面から線となり、接触抵抗が低減する駆動抵抗低減手段３０が形成され、吸着材１の回転にむらが無くなりスムーズに回転することとなる。
【００７０】
また、吸着素子収容部１ｂの裏面側の外縁部に設けた凸状の突起３１Ｂと支持孔１４の外方に設けた凸状の突起３１Ｃにより形成された駆動抵抗低減手段３０Ａにより、接触抵抗が低減し、吸着材１の回転にむらがなくなりスムーズに回転することとなる。
【００７１】
また、再生チャンバー１６の支持軸１７の外方近傍に凸状の突起３１Ｄを設け、駆動抵抗低減手段３０Ｂを形成したことにより吸着材１の回転にむらが無くなり、スムーズに回転することとなって除湿効率が高められることとなる。
【００７２】
なお、実施の形態１では、凸状の突起３１、３１Ａ、３１Ｂ、３１Ｃ、３１Ｄを環状に形成したもので説明したが少なくとも一部に部分的に形成しても同様の作用効果をもたらすことができる。
【産業上の利用可能性】
【００７３】
合成樹脂製の本体枠内に微少間隙を介して挿入される回転体を、寸法精度を保ちつつ回転させる支持装置に適用できる。
【図面の簡単な説明】
【００７４】
【図１】本発明の実施の形態１の除湿装置の回転円滑手段を示す分解斜視図
【図２】同除湿装置の全体構成を示す説明図
【図３】同除湿装置の内部構成を示す斜視図
【図４】同除湿装置の再生チャンバーの吸着材のリブの関係を示す説明図
【図５】同除湿装置の第２ギアによる矯正手段を示す部分図
【図６】同除湿装置の吸着材の断面図
【図７】従来の除湿機の後部側から見た再生部周辺の構成斜視図
【図８】同除湿機の前部側から見た再生部周辺の構成斜視図
【符号の説明】
【００７５】
１      吸着材
１ａ    吸着素子
１ｂ    吸着素子収容部
２      第１空気
３      吸湿領域
４      加熱手段
５      第２空気
６      再生領域
７      駆動手段
８      凝縮器
９      第１空気供給手段
１０    第２空気供給手段
１１    仕切板
１２    リブ
１３    第１ギア
１４    支持孔
１５    支持脚
１６    再生チャンバー
１７    支持軸
２１    ケーシング
２４    再生部
２５    回転円滑手段
２６    第２ギア
２７    駆動モータ
２８    壁部
２９    矯正手段
２９Ａ  矯正手段
３０    駆動抵抗低減手段
３０Ａ  駆動抵抗低減手段
３０Ｂ  駆動抵抗低減手段
３１    突起
３１Ａ  突起
３１Ｂ  突起
３１Ｃ  突起
３１Ｄ  突起
【図１】
2008086995.tif 000003
【図２】
2008086995.tif 000004
【図３】
2008086995.tif 000005
【図４】
2008086995.tif 000006
【図５】
2008086995.tif 000007
【図６】
2008086995.tif 000008
【図７】
2008086995.tif 000009
【図８】
2008086995.tif 000010
【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、回転する前記吸着材の接触抵抗を低減する駆動抵抗低減手段を備えた除湿装置。
【請求項２】
相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、前記吸着材がロック停止を生じないように回転円滑手段を設け、前記吸着材の前記回転円滑手段として、鉛直面に対する前記吸着材端面の振れを矯正する矯正手段を設け、前記吸着材の前記回転円滑手段として、前記吸着材に対し、前記仕切板、前記再生チャンバーおよび前記加熱手段が接触した場合の摩擦抵抗を低減する駆動抵抗低減手段を設けた除湿装置。
【請求項３】
駆動抵抗低減手段は、吸着素子収容部の加熱手段と対抗する面の外縁部または支持軸の近傍の少なくとも一部に、前記加熱手段の方向に凸状の突起を設けた請求項２記載の除湿装置。
【請求項４】
吸着素子を円筒形に形成された吸着素子収容部に内包して吸着材を形成し、駆動抵抗低減手段は、仕切板および再生チャンバーの吸着材と対抗する面の少なくとも一部に、前記吸着材の方向に凸状の突起を設けた請求項２または３記載の除湿装置。
【請求項５】
駆動抵抗低減手段を、吸着素子収容部の仕切板及び再生チャンバーと対抗する面の外縁部および支持軸近傍の少なくとも一部に前記仕切板の方向に凸状の突起を設け形成した請求項２〜４のいずれかに記載の除湿装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】変更
【補正の内容】
【００２７】
本発明の除湿装置は、上記目的を達成するために、相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、回転する前記吸着材の接触抵抗を低減する駆動抵抗低減手段を備えた構成としたものである。また、他の手段は、相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、前記吸着材がロック停止を生じないように回転円滑手段を設け、前記吸着材の前記回転円滑手段として、鉛直面に対する前記吸着材端面の振れを矯正する矯正手段を設け、前記吸着材の前記回転円滑手段として、前記吸着材に対し、前記仕切板、前記再生チャンバーおよび前記加熱手段が接触した場合の摩擦抵抗を低減する駆動抵抗低減手段を設けたものである。
【手続補正２１】
【補正対象書類名】明細書
【補正対象項目名】００４０
【補正方法】削除
【補正の内容】
【手続補正２２】
【補正対象書類名】明細書
【補正対象項目名】００４１
【補正方法】削除
【補正の内容】
【手続補正２３】
【補正対象書類名】明細書
【補正対象項目名】００４２
【補正方法】削除
【補正の内容】
【手続補正２４】
【補正対象書類名】明細書
【補正対象項目名】００４３
【補正方法】削除
【補正の内容】
【手続補正２５】
【補正対象書類名】明細書
【補正対象項目名】００４４
【補正方法】削除
【補正の内容】
【手続補正２６】
【補正対象書類名】明細書
【補正対象項目名】００４５
【補正方法】削除
【補正の内容】
【手続補正２７】
【補正対象書類名】明細書
【補正対象項目名】００４６
【補正方法】削除
【補正の内容】
【手続補正２８】
【補正対象書類名】明細書
【補正対象項目名】００４７
【補正方法】削除
【補正の内容】
【手続補正２９】
【補正対象書類名】明細書
【補正対象項目名】００４８
【補正方法】削除
【補正の内容】
【手続補正３０】
【補正対象書類名】明細書
【補正対象項目名】００４９
【補正方法】変更
【補正の内容】
【００４９】
本発明の請求項１記載の発明は、相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、回転する前記吸着材の接触抵抗を低減する駆動抵抗低減手段を備えたものである。また、請求項２記載の発明は、相対的に湿度の高い空気から吸湿して相対的に湿度の低い空気に対して放湿する吸着材と、この吸着材が第１空気から吸湿する吸湿領域と、前記吸着材が加熱手段により加熱された第２空気に対して放湿して吸着可能に再生する再生領域と、前記吸着材を前記吸湿領域と前記再生領域を跨るように枢設し、第１空気からの吸湿と、第２空気への放湿が繰り返しなされるように前記吸着材を回転させる駆動手段と、前記再生領域に供給された後の第２空気を第１空気で冷却して前記吸着材からの放湿分を結露水として回収する凝縮器と、前記吸湿領域および前記凝縮器に第１空気を供給する第１空気供給手段と、前記加熱手段、再生領域、凝縮器の順に第２空気を循環させる第２空気供給手段と、前記吸着材の吸湿領域に流入する第１空気と、前記吸着材の吸湿領域通過後の第１空気が混合しないように仕切る仕切板とを備え、前記吸着材がロック停止を生じないように回転円滑手段を設け、前記吸着材の前記回転円滑手段として、鉛直面に対する前記吸着材端面の振れを矯正する矯正手段を設け、前記吸着材の前記回転円滑手段として、前記吸着材に対し、前記仕切板、前記再生チャンバーおよび前記加熱手段が接触した場合の摩擦抵抗を低減する駆動抵抗低減手段を設けたことにより、吸着材が仕切板、再生チャンバーおよび加熱手段に接触しても回転むらが生じることが無く、吸着材の吸着・再生機能を維持することができる。
【手続補正３１】
【補正対象書類名】明細書
【補正対象項目名】００５０
【補正方法】変更
【補正の内容】
【００５０】
また、請求項３記載の発明は、駆動抵抗低減手段は、吸着材収容部の加熱手段と対向する面の外縁部または支持軸の近傍の少なくとも一部に、前記加熱手段の方向に凸状の突起を設けたことにより、吸着材が加熱手段と接触しても接触抵抗を低減して回転むら生じることがなくなるという作用を有する。
【手続補正３２】
【補正対象書類名】明細書
【補正対象項目名】００５１
【補正方法】変更
【補正の内容】
【００５１】
また、請求項４記載の発明は、吸着素子を円筒形に形成された吸着素子収容部に内包して吸着材を形成し、駆動抵抗低減手段は、仕切板および再生チャンバーの吸着材と対向する面の少なくとも一部に、前記吸着材の方向に凸状の突起を設けたことにより、仕切板および再生チャンバーの凸状の突起により吸着材との接触抵抗を低減して吸着材の回転むらが生じることがないという作用を有する。
【手続補正３３】
【補正対象書類名】明細書
【補正対象項目名】００５２
【補正方法】変更
【補正の内容】
【００５２】
また、請求項５記載の発明は、駆動抵抗低減手段を、吸着素子収容部の仕切板および再生チャンバーと対向する面の外縁部および支持軸近傍の少なくとも一部に前記仕切板の方向に凸状の突起を設け形成したことにより、再生チャンバーとの接触抵抗を低減して吸着材の回転むらが生じることがないという作用を有する。